(57)【要約】【課題】本発明は、固定された撮像手段を用いた簡便な手段、手法によってセキュリティ（安全性）性能を高めることの出来る指静脈認証装置およびこれを使用した指静脈認証方法を提供する。【解決手段】撮像装置は、認証しようとする指が認証面を変えるために回転されるとき、同一の指について複数の角度における指静脈情報を撮像取得し、撮像取得した前記複数の角度における指静脈情報を角度毎に分けて角度と共に登録する指静脈登録手段を有し、認証時に取得された、指についての複数の角度における指静脈情報を角度毎に分けて登録された角度についてそれぞれ認証を行う同一性判定のための認証手順登録手段を有する。【選択図】図１３
2007287080.tif 000002
【特許請求の範囲】
【請求項１】
認証しようとする指に近赤外ＬＥＤから近赤外線を照射し、当該指の指静脈情報を撮像装置によって撮像取得する指静脈認証装置において、
前記撮像装置は、認証しようとする指が認証面を変えるために回転されるとき、同一の指について複数の角度における指静脈情報を撮像取得するものであり、
撮像取得した前記複数の角度における指静脈情報を角度毎に分けて角度と共に登録する指静脈登録手段を有し、
認証時に取得された、指についての複数の角度における指静脈情報を角度毎に分けて登録された角度についてそれぞれ認証を行う同一性判定のための認証手順登録手段を有すること
を特徴とする指静脈認証装置。
【請求項２】
請求項１において、前記指静脈登録手段は、登録時の前記複数の角度について回転順序も合わせ登録し、かつ前記認証手順登録手段は、認証時の前記複数の角度について回転順序についても合わせ認証を行うことを特徴とする指静脈認証装置。
【請求項３】
請求項１または２において、前記指静脈登録手段は、前記角度と共に複数の角度の指静脈情報の表示を行う指静脈登録画面を備えた指静脈画面表示装置を有し、前記認証手順登録手段は、前記指静脈画面表示装置に、前記複数の角度における指静脈情報を角度毎に分けて角度と共に登録する認証手順登録画面を表示させることを特徴とする指静脈認証装置。
【請求項４】
請求項１から３のいずれかにおいて、前記指静脈登録手段は、前記指静脈情報をＩＤ情報と共に登録し、かつ前記認証手順登録手段は、前記認証に際してＩＤ情報についても同一性判定を行うことを特徴とする指静脈認証装置。
【請求項５】
認証しようとする指に近赤外ＬＥＤから近赤外線を照射し、当該指の指静脈情報を撮像装置によって撮像取得する指静脈認証装置による指静脈認証方法において、
前記撮像装置によって、認証しようとする指が認証面を変えるために回転されるとき、同一の指について複数の角度における指静脈情報を撮像取得し、
指静脈登録手段によって、撮像取得した前記複数の角度における指静脈情報を角度毎に分けて角度と共に登録し、
認証手順登録手段によって、認証時に取得された指についての複数の角度における指静脈情報を角度に分けて登録された角度についてそれぞれ認証を行って同一性判定を行うこと
を特徴とする指静脈認証装置による指静脈認証方法。
【請求項６】
請求項５において、指静脈情報による認証による仮同一性判定を行って仮同一性があると判定された時に設定時の角度を特定し、以後当該角度を基にして角度の特定およびこの特定された角度から回転した複数の角度における取得情報を使用して同一性判定を行うことを特徴とする指静脈認証装置による指静脈認証方法。
【請求項７】
請求項５または６において、前記指静脈登録手段によって、登録時の前記複数の角度について回転順序も合わせ登録し、かつ前記認証手順登録手段によって、認証時の前記複数の角度について回転順序についても合わせて認証を行うことを特徴とする指静脈認証装置による指静脈認証方法。
【請求項８】
請求項７において、前記指静脈登録手段によって、登録時の前記複数の角度について回転順序の登録に当って角度間の移動時間についても登録し、かつ前記認証手順登録手段は、認証時の前記複数の角度について回転順序の登録に当って角度間の移動時間についても認証することを特徴とする指静脈認証装置による指静脈認証方法。
【発明の詳細な説明】
【技術分野】
【０００１】
本発明は、指静脈認証装置および指静脈認証方法に関する。
【背景技術】
【０００２】
近年指静脈パターンを用いて個人認証を行う個人認証装置すなわち指静脈認証装置がパソコン、携帯電話機、住宅あるいはビルディングの各室のドア、ＡＴＭ、自動車等の装置に数多く使用されるようになってきている。
【０００３】
特許文献１には、利用者に手のかざし方を指示する位置向き形状指示手段が記載されている。
【０００４】
特許文献２には、可動広角カメラは２軸周りに回転しながら複数の異なる角度における画像を取得することが記載されている。
【０００５】
特許文献３には、個人認証装置は、指を挿入する空間を有する筐体と、筐体の内部壁面に設置された複数のＬＥＤアレイと、筐体のＬＥＤアレイと対向する内部壁面に設置された複数のラインセンサとを備え、そして、撮影された画像から挿入された指の爪の位置を検出して、この爪の位置から指の腹の位置を決定し、撮影された画像から指の腹の部分の赤外線透過光画像を切り出し、予め登録されている血管パターン画像とのマッチングを行うことが記載されている。
【０００６】
【特許文献１】ＷＯ０４／０２１８８４（特願２００４−５３４０６６）号公報
【特許文献２】特開平１０−１３７２２４号公報
【特許文献３】特開２００５−７１３１７号公報
【発明の開示】
【発明が解決しようとする課題】
【０００７】
本発明は、固定された撮像手段を用いた簡便な手段、手法によってセキュリティ（安全性）性能を高めることの出来る指静脈認証装置およびこれを使用した指静脈認証方法を提供することを目的とする。
【課題を解決するための手段】
【０００８】
本発明は、認証しようとする指に近赤外ＬＥＤから近赤外線を照射し、当該指の指静脈情報を撮像装置によって撮像取得する指静脈認証装置において、
前記撮像装置は、認証しようとする指が認証面を変えるために回転されるとき、同一の指について複数の角度における指静脈情報を撮像取得するものであり、
撮像取得した前記複数の角度における指静脈情報を角度毎に分けて角度と共に登録する指静脈登録手段を有し、
認証時に取得された、指についての複数の角度における指静脈情報を角度毎に分けて登録された角度についてそれぞれ認証を行う同一性判定のための認証手順登録手段を有すること
を特徴とする指静脈認証装置を提供する。
【０００９】
また、前記指静脈登録手段は、登録時の前記複数の角度について回転順序も合わせ登録し、かつ前記認証手順登録手段は、認証時の前記複数の角度について回転順序についても合わせ認証を行うことを特徴とする指静脈認証装置を提供する。
【００１０】
また、前記指静脈登録手段は、前記角度と共に複数の角度の指静脈情報の表示を行う指静脈登録画面を備えた指静脈画面表示装置を有し、前記認証手順登録手段は、前記指静脈画面表示装置に、前記複数の角度における指静脈情報を角度毎に分けて角度と共に登録する認証手順登録画面を表示させることを特徴とする指静脈認証装置を提供する。
【００１１】
また、前記指静脈登録手段は、前記指静脈情報をＩＤ情報と共に登録し、かつ前記認証手順登録手段は、前記認証に際してＩＤ情報についても同一性判定を行うことを特徴とする指静脈認証装置を提供する。
【００１２】
また本発明は、認証しようとする指に近赤外ＬＥＤから近赤外線を照射し、当該指の指静脈情報を撮像装置によって撮像取得する指静脈認証装置による指静脈認証方法において、
前記撮像装置によって、認証しようとする指が認証面を変えるために回転されるとき、同一の指について複数の角度における指静脈情報を撮像取得し、
指静脈登録手段によって、撮像取得した前記複数の角度における指静脈情報を角度毎に分けて角度と共に登録し、
認証手順登録手段によって、認証時に取得された指についての複数の角度における指静脈情報を角度に分けて登録された角度についてそれぞれ認証を行って同一性判定を行うこと
を特徴とする指静脈認証装置による指静脈認証方法を提供する。
【００１３】
また、指静脈情報による認証による仮同一性判定を行って仮同一性があると判定された時に設定時の角度を特定し、以後当該角度を基にして角度の特定およびこの特定された角度から回転した複数の角度における取得情報を使用して同一性判定を行うことを特徴とする指静脈認証装置による指静脈認証方法を提供する。
【００１４】
また、前記指静脈登録手段によって、登録時の前記複数の角度について回転順序も合わせ登録し、かつ前記認証手順登録手段によって、認証時の前記複数の角度について回転順序についても合わせて認証を行うことを特徴とする指静脈認証装置による指静脈認証方法を提供する。
【００１５】
また、前記指静脈登録手段によって、登録時の前記複数の角度について回転順序の登録に当って角度間の移動時間についても登録し、かつ前記認証手順登録手段は、認証時の前記複数の角度について回転順序の登録に当って角度間の移動時間についても認証することを特徴とする指静脈認証装置による指静脈認証方法を提供する。
【発明の効果】
【００１６】
本発明は、認証しようとする認証面を変えるために回転されたときの、同一の指について複数の角度における生体情報を撮像取得して個人認証を行うようにしているために、簡便な手段、手法によってセキュリティ性能を向上させた指静脈認証装置あるいはこれを用いた指静脈認証方法を提供することができる。
【発明を実施するための最良の形態】
【００１７】
以下、本発明の実施例を図面に基づいて説明する。
【実施例】
【００１８】
図１は、本発明の実施例である個人認証装置１００の縦断面図、図２は上面平面図、図３は裏面平面図、図４は底面図である。また図1は、図２の切断面Ａによって切断された縦断面形状である。これらの図において、個人認証装置１００は、任意の切断面、すなわち任意の縦断面で井型形状とした箱体１を備える。
【００１９】
箱体１は、一体成形された側方部のカバー２、上部のフィルター３、下部の基板ベース４から構成される。箱体１を構成するに当って、カバー２、フィルター３、および基板ベース４以外のものを必要としない。すなわち、箱体１は、カバー２、フィルター３および基板ベース４のみから縦断面で井型形状に形成され得る。上方から見た場合には、フィルター３および基板ベース４に塞がれた形状をなし、方形立方体形状をなす。カバー２を円形状に形成する場合には、円形立方体をなす。上方から見た場合にはこのようにカバー２の形状に依存した形となる。また、カバーは成形で形成することができ、縦断面を台形にすることは容易である。
【００２０】
カバー２は、方形筒状形体とされ、上部には内方に向けて溝によって形成される対形状でフィルター保持部５を有し、左右に対形状に導光管配管６が形成してある。下部には円方に向けて溝によって形成される対形状の基板ベース保持部７が形成してある。
【００２１】
対形状のフィルター保持部５には紙面で水平方向を水平にしてフィルター（すなわち窓部）３が取り付けられる。
【００２２】
カバー２の下方部には方形に沿って空間部１１が形成され、これによって内壁１２、外壁１３が形成され、前述した対形状の基板ベース保持部７は外壁１３に設けられる。対形状の基板ベース保持部７には基板ベース４が取り付けられる。従って、基板ベース４は内壁１２の外側まで延長された形で前述の基板ベース保持部７に取り付けられる。
【００２３】
図１に示すように、基板ベース４とフィルター３とは平行配置とされ井型形状の下面部、上面部を形成する。カバー２は基板ベース４とフィルター３に対して垂直方向に形成されており、井型形状の側方面部を形成する。
【００２４】
従って、基板ベース４、フィルター３およびカバー２には縦断面において正四角形を描くことができ、形状が極めてシンプル（簡単）化されている。導光管配管６には後述する導光管３０が配設され、導光管３０の上端は外方に向けて傾斜する照射部３４とされ、側方上端にはツバ１５が形成され、他の機器に取り付ける際に取付部とされる。
【００２５】
箱体１の内部中央部、すなわち基板ベース４、フィルター３およびカバー２によって箱体の中央部には方形立方体状の空間部１０が形成される。この空間部を介して基板ベース４およびフィルター３が配設されていると見ることができる。
【００２６】
この空間部１０には、カメラからなる撮像部２１およびＩＣチップを備えたＩＣチップ基板２２が配設される。
【００２７】
ＩＣチップ基板２２は基板ベース４に直付けされ、基板ベース４に設けた電導部と電気接続される。図５に導光管配管６に設置される導光管３０を示す。導光管３０はこの例の場合、Ｙ字形としてあり、２ヵ所の上端の照射部３４から光（近赤外線）を照射できるものとしてある。導光管３０の分岐部３１、３２の上端は外方、正確には手前側、ほぼ１５°方向外方に向けて傾斜した照射部３４が形成される。
【００２８】
図６に傾斜の度合を示す。３ｍｍ程度の４方角において、中央点から手前側、ほぼ１５°方向に０．５ｍｍ傾斜され、対向方向に０．５ｍｍ傾斜する。照射部３４の一辺は３ｍｍ四方程度である。
【００２９】
導光管３０がＹ形状となっているので、図２に示すように照射部１４は左右２ヵ所づつ対にして形成される。そして裏面から見ると図３に示すような形状とされる。
【００３０】
フィルター３および導光管３０を射出成型機（図示せず）にセットすれば、一図の射出でカバー２でフィルター３および導光管３０を保持して箱体１を形成することができる。（ただし、基板ベース４は未接続）。この場合、導光管３０は導光管配管に一体的となっている。一体成形しない場合には、導光管配管６に導光管３０が配設され、固着される。カバー２、フィルター３、導光管３０が一体的に成形された後に基板ベース４が基板ベース保持部７を介して基板ベース４が取り付けられる。更に、基板ベース４にはケーブルコネクタ３５が取り付けられる。
【００３１】
図１において、箱体１の内部中央部に形成された方形状の空間部１０で、静脈パターン抽出手段および画像演算部およびその他の制御部を形成するＩＣチップを備えるＩＣチップ基板２２を基板ベース４上に該基板ベース４に沿って直付けし、ＩＣチップ基板２２上にフィルター３を向けて垂直方向に撮像部２１を直付けして載置する。また、ＩＣチップは近赤外線ＬＥＤを制御する制御部を構成する。
【００３２】
基板ベース４上に近赤外ＬＥＤ２５が基板ベース４に沿って直付けされ、ＩＣチップ基板２２のＩＣチップと近赤外ＬＥＤ２５とを基板内に形成した電導部で結線する。これによって箱体１内に配線がない特徴が形成される。
【００３３】
上述したように、導光管３０の上端の照射部３４を傾斜形状したことによって、図７に示すように斜め外方４５°方向に光を照射することができ、指の中に光を効率よく入射させることができる。
【００３４】
また、導光管３０の上端の照射部３４を斜め外方１５°程度方向に傾斜する形状にしているので、図８に示すように、指９０を置いた時に、傾斜面の作用によって指９０を中央部に確実に設置させるというメリットが生じる。生体の指に対して光を照射する光り照射部と、前記指からの透過光を検出して指の静脈の撮像を行う撮像部と、該撮像部によって取得された画像から指静脈パターンを抽出する静脈パターン抽出手段と、抽出された指静脈パターンを予め登録された指静脈パターンと比較する画像演算部と、を有する指静脈による個人認証装置１００は、前記光照射部、前記撮像部、前記静脈パターン抽出手段、前記画像演算部を収納する箱体１を任意の縦断面を井型形状とした特徴を有して構成される。
【００３５】
更に、基板ベース４上に近赤外ＬＥＤ２５が基板ベース４に沿って直付けされ、ＩＣチップと近赤外ＬＥＤ２５とを基板内に形成した電導部で結線し、箱体１内に配線がないことを特徴とする個人認証装置が構成される。
【００３６】
本実施例にあっては、図８において、指９０は、後述するように、回転した複数の角度でカバー２の上面に置かれることになる。
【００３７】
図９、図１０は、透過型指静脈認証装置（個人認証装置）２００の例を示す。透過型指静脈認証装置２００は、本体５１の上部構造体５２に近赤外ＬＥＤ５３が配設され、下部構造体５４にカメラからなる撮像装置５５が配置される。
【００３８】
上部構造体５２と下部構造体５４との間に指９０を挿入するための間隙部５６が形成され、挿入された指９０の先端は、本体５１で指９０に向けられた押しボタン５７に接触し、指９０の一部が指置き台５８上に置かれる。指９０が押しボタン５７に接触すると、指９０の指静脈パターンが撮像取得される準備が完了したことが演算処理部に伝えられ、通常の登録および認証が行われる。
【００３９】
図１０に示すように透過型指静脈認証装置２００は、認証端末として構成されており、表示板５９Ａおよびキーボード５９Ｂを備え、図１２、図１３に示す入力を行うことができる。
【００４０】
この場合に、図１１（ａ）、図１１（ｂ）、図１１（ｃ）、に示すように指９０は順次回転される。図１１（ａ）は回転０度の指９０についての指静脈パターンの撮像取得、図１１（ｂ）は回転右９０度の指９０についての指静脈パターンの撮像取得、そして、図１１（ｃ）は回転左９０度の指９０についての指静脈パターンの撮像取得の例を示す。これらの角度は例示であって、これらの角度、回転方向には限定されない。
【００４１】
本実施例に使用される指静脈認証装置は図１に示す個人認証装置１００あるいは図１１に示す透過型指静脈認証装置２００には限定されず、通常の機能を有する指静脈認証装置が使用可能とされるが、この指静脈認証装置は、回転された指についての指静脈登録手段および登録画面、並びに回転された指についての指静脈認証手段および認証画面を備える。
【００４２】
以下、図１２および図１３を使用して説明する。
本実施例の指静脈認証装置は、指静脈画面表示手段（装置）６０を有し、この指静脈画面表示手段６０には指静脈登録画面および認証手順登録画面を備える。
図１２は、指静脈登録画面６１を示し、図１３は認証手順登録画面６２を示す。図１４はデータベースの構成を示す。
【００４３】
図１２に示すように、指静脈登録画面６１には、０度（腹部平面）、すなわち図８に示すように指９０の爪側を上にして腹部を下にした状態を中心として左側回転の左４５度、左９０度および左１３５度、右側回転の右４５度、右９０度、右１３５度および右１８０度についての指置き状態が表示され、ボタン６３を使用して角度を選択できるものとしている。この角度を選択してこの角度における静脈パターン（テンプレート）が記憶手段に登録される。左１８０度を加えるようにしてもよい。
【００４４】
登録状況表示域６４には、登録済が、未登録であるかがそれぞれ表示されるように構成されている。
【００４５】
図１２に示す例では、０度、右９０度そして左９０度が登録されている。この登録の順序、すなわち手順は図１３に示す通りであり、図１１（ａ）から図１１（ｂ）への移行および図１１（ｂ）から図１１（ｃ）への移行に要する時間の許容時間をそれぞれ０．５秒、１．０秒として設定してある。
【００４６】
従って、指静脈認証装置は、撮像装置が認証しようとする指が認証面（図８、図１１）を変えるために回転させるとき、同一の指について複数の角度における生体情報である指静脈パターンを撮像取得し、撮像取得した複数の角度における生体情報を角度毎に分けて角度と共に登録する指静脈登録手段を有する。
この指静脈登録手段は、登録時の複数の角度について回転順序も合わせて登録することを行う。
【００４７】
また、この指静脈登録手段は、生体情報をＩＤ情報（例えばＩＣカード番号）と共に登録することを行う。
【００４８】
図１３に示すように、認証手順登録画面６２には、登録済み指認証選択画面部６５および認証手順登録画面部６６が形成してあり、登録済み指認証選択画面部６５には認証時に選択された角度についての指置き状態を並列して表示させることを行う。図１１に示す場合、０度、右９０度および左９０度の場合の指置き状態が表示される。この表示は３個に限定されない。２個であってもよい。
【００４９】
認証手順登録画面部６６には０度、左９０度が順次表示され、次に未登録であった左９０度のボタンを押すことによって左９０度の指静脈パターンが登録される。登録およびその時の角度は表示される画面によって判る。このようにして認証手順６７に送って指静脈パターンは登録される。この場合に、指静脈パターンを取得した時の角度とタイムアウト時間６８についても登録される。
【００５０】
従って、指静脈認証装置は、認証時に取得される回転する指についての複数の角度における生体情報を角度に分けて登録された角度についてそれぞれ認証を行う同一性判定のための認証手順登録手段を有する。この認証手順登録手段は、認証時の複数の角度について回転順序すなわち回転手順についても合わせて認証を行う。
【００５１】
また、この認証手順登録手段は、指静脈画面表示装置６０に複数の角度における生体情報を角度毎に分けて角度と共に登録する認証手順登録画面６２を表示させる。
また、この認証手順登録手段は、認証に際してＩＤ情報についても同一性判定を行う。
また、この指静脈認証方法は、指静脈情報認証による最初の、すなわち仮の同一性判定を行って最初の、すなわち仮の同一性があると判定された時に認定時の角度、例えば０度、の角度を特定し、以後当該０度を基にして角度の特定およびこの特定された角度から回転した複数の角度における取得情報を使用して同一性判定を行う。
【００５２】
また、指静脈登録手段によって、登録時の前記複数の角度について回転順序の登録に当って角度間の移動時間についても登録し、かつ前記認証手順登録手段は、認証時の前記複数の角度について回転順序の登録に当って角度間の移動時間についても認証することを行う。
【００５３】
このように、本実施例の指静脈認証装置は、指９０を回転（左右）させることで、回転順序（手順）を持たせて認識を行うと共に、回転角度の複数の指静脈情報を使用して認証を行うことができる。
【００５４】
回転をとらえるために、指９０を装置本体の空隙部に挿入、設定した時点で１回認証し、この仮認証が成功した場合に、指９０を例えば９０度回転し、指の側面を認証することを行う。
【００５５】
このような装置、方法はアクション機能付きの指静脈登録処理およびアクション機能付きの指静脈認証処理を行っており、次のような特徴がある。
特徴：
一指で複数の認証のためのテンプレート（指静脈パターン）を複数作成できる。
認証にための手順を新たに設けることで、システム全体のセキュリティ性能を高める
事ができる。
一指と認証のための手順により短時間で複数の認証が行える。
撮像装置は固定式とすることができる。
【００５６】
図１４（ａ）は、認証時動作テーブルを示す。認証動作テーブルは、ＩＤ番号、認証手順番号および認証時の動作から構成される。図１４（ｂ）は、認証手順格納テーブルを示す。認証手順格納テーブルは、認証手順番号、認証回数、回転角度、タイムアウト、回転角度、タイムアウト、回転角度から構成される。認証回数は任意に変えることができる。  なお、回転角度は厳密な角度にしなくても許容範囲内においての角度範囲について認証を行うことができる。
【００５７】
図１５は、指静脈登録処理フロー図である。
【００５８】
図１５において、指静脈登録開始のメッセージを出力し（Ｓ１１）、予め決められた回転角度の指静脈一覧を指静脈登録画面部に表示する（Ｓ１２）。
【００５９】
指静脈テンプレート登録・処理終了したかを判定（Ｓ１３）し、終了していない場合に、ある回転角度の指静脈選択されたかを判定（Ｓ１４）し、指定された回転角度の指静脈をスキャンし、認証用のテンプレートを作成し記憶する（Ｓ１５）。このステップを経てステップ１３に戻る。
【００６０】
指静脈のテンプレート登録処理が終了すると、認証順序、すなわち認証手順の登録は終了したかが判定（Ｓ１６）され、ある回転角度の指静脈が選択されたかが判定（Ｓ１７）される。選択されていない場合にはステップＳ１６に戻り、選択されている場合には認証手順の最初の指静脈であるかが判定（Ｓ１８）され、最初指静脈でない場合には指静脈を行う間のタイムアウト時間を手順に追加する（Ｓ１９）。最初の指静脈である場合とステップ１９を跳んだ場合にはある回転角度の指静脈を手順に追加する（Ｓ２０）。このステップを経てステップ１６に戻り、認証手順の登録が終了する。認証手順をＩＤ番号と共に格納し、登録完了のメッセージを出力（Ｓ２１）して、終了する。
【００６１】
図１６は、指静脈認証処理フロー図である。
【００６２】
図１６において、指静脈認証開始のメッセージを出力（Ｓ３１）し、ＩＤ番号入力開始のメッセージを出力（Ｓ３２）し、ＩＤ番後が入力されたかを判定する（Ｓ２３）。ＩＤ番号が入力されていない場合は、ステップＳ３２に戻り、ＩＤ番号が入力されている場合には、ＩＤ番号に対応する認証手順を呼び出す（Ｓ３４）。Ｎ番目の認証結果はＯＫかを判定（Ｓ３５）し、ＯＫでない場合には認証失敗を出力（Ｓ４０）して終了する。ＯＫの場合には認証手順は全て終了したかを判定（Ｓ３６）し、終了している場合には認証成功を出力（Ｓ３９）し、終了する。全て終了していない場合にはＮ＋１番目のタイムアウト時間がオーバーかを判定（Ｓ３７）し、オーバーしていない時にはステップＳ３５に戻り、オーバーしている時には認証タイムオーバーを出力（Ｓ３８）して終了する。
【図面の簡単な説明】
【００６３】
【図１】本発明の実施例の１つと使用する指静脈認証装置の縦断面図（図２の切断面Ａの断面図）。
【図２】上面平面図。
【図３】裏面平面図。
【図４】底面図。
【図５】導光管の構成を示す斜視図。
【図６】導光管の先端部を示す図。
【図７】光の出方を示す図。
【図８】指の置き方を示す図。
【図９】本発明の実施例の他の使用例としての指静脈認証装置の縦断面図。
【図１０】図９の正面図。
【図１１】指を回転させて認証する例を説明する図。
【図１２】本発明の実施例の指静脈登録画面を示す図。
【図１３】本発明の実施例の認証手順登録画面を示す図。
【図１４】データベースの構成図。
【図１５】指静脈登録処理フロー図。
【図１６】指静脈認証処理フロー図。
【符号の説明】
【００６４】
１…箱体、２…カバー、３…フィルター、４…基板ベース、５…フィルター保持部、６…導光管配管、７…基板ベース保持部、１０，１１…空間部、１２…内壁、１３…外壁、２１…撮像部、２２…ＩＣチップ基板、３０…導光管、３４…照射部、５１…本体、５２…上部構造体、５３…近赤外ＬＥＤ、５４…下部構造体、５５…撮像装置、５６…間隙部、５７…押しボタン、５８…指置き台、５９Ａ…表示板、５９Ｂ…キーボード、６０…指静脈画面表示手段（装置）、６１…指静脈登録画面、６２…認証手順登録画面、６３…ボタン、６４…登録状況表示域、６５…登録済み指認証選択画面部、６６…認証手順登録画面部、６７…認証手順、６８…タイムアウト時間、１００…個人認証装置、２００…透過型指静脈認証装置（個人認証装置）。
【図１】
2007287080.tif 000003
【図２】
2007287080.tif 000004
【図３】
2007287080.tif 000005
【図４】
2007287080.tif 000006
【図５】
2007287080.tif 000007
【図６】
2007287080.tif 000008
【図７】
2007287080.tif 000009
【図８】
2007287080.tif 000010
【図９】
2007287080.tif 000011
【図１０】
2007287080.tif 000012
【図１１】
2007287080.tif 000013
【図１２】
2007287080.tif 000014
【図１３】
2007287080.tif 000015
【図１４】
2007287080.tif 000016
【図１５】
2007287080.tif 000017
【図１６】
2007287080.tif 000018